(57)【特許請求の範囲】
【請求項１】
低温槽内の天井部に備えたノズル部を通して槽内に吊り下げられて使用する装置の吊り下げ用ケーブルであって、上記ケーブルは、その内部中心に吊り下げ用ワイヤが配置され、該ワイヤを中心軸としてその周囲に薄厚絶縁被覆の電源用導体，信号用導体等の複数の内部導体が点対称に配置され、さらにこれらを囲う絶縁テープを介して最外周部に吊下げ強度を担う鎧装が配置された一体化構造の複合ケーブルに形成してなることを特徴とする装置の吊り下げ用ケーブル。
【発明の詳細な説明】
【０００１】
【発明の属する技術分野】
本発明は、ＬＮＧ等の貯蔵タンク，容器等の低温槽の内部状態を点検する際にその低温槽内に吊下げて使用する観察装置，照明装置等の吊り下げ用ケーブルに関するものである。
【０００２】
【従来の技術】
従来、上述のような低温槽の内部状態を点検する装置として、図３に示す観察装置が知られている。
図３において低温槽であるＬＮＧ地下式貯槽５０は、天井中央部に、筒状開口を有するノズル部５１，５２があり、このノズル部５１，５２を通して槽内に観察装置１０及び照明装置３０が挿入されてケーブル２０，３１により貯槽５０内に吊り下げた状態で槽内を液中観察できるようにしている。
【０００３】
上述の観察装置１０として従来提案されているものは、概ね、カメラ等を備える撮影装置が用いられてあり、この観察装置１０及び照明装置３０は、ノズル部５１，５２の筒状開口を通過させ得るように、ケーブル２０，３１に接続された円筒形状の外形を有する筐体内に収容されていて前記ノズル部５１，５２を通して貯槽５０内に吊り下げられ、ケーブル２０，３１を人力により引いて観察装置１０及び照明装置３０の上下高さ調節が行われる。
【０００４】
上述のケーブル２０，３１は、本発明でいう吊り下げ用ケーブルであり、以下の説明ではその片側１本について説明する。
従来のケーブル２０は、図４に示しているように電源用ケーブル２３，信号用ケーブル２４，吊り下げ用ワイヤ２２等が単独で構成されているものが一般的であり、複数のケーブルが、ノズル部５１，５２の筒状開口を通して貯槽５０の外に引き出され、槽外に設けられた制御装置５４に接続される構成となっている。
なお、従来、複合ケーブルに構成している場合にも、電源用及び信号用の導体のみを構成要素とするものが一般的であり、また各構成要素の配置は、非対称であるものが一般的であった。
【０００５】
【発明が解決しようとする課題】
ところで、上述の図４に示すようにケーブル２０を構成する吊下用ワイヤ２２及び電源用ケーブル２３，信号用ケーブル２４等が、単独で構成されている場合には、そのワイヤ２２やケーブル２３，２４に対してはそれぞれ絶縁材・保護材２２ａ，２３ａ，２４ａが各別に設けられているので、これらの絶縁材・保護材の重複によって全体重量が増大して取扱性が悪くなるという問題点がある。
【０００６】
また上述のような複数のワイヤ２２やケーブル２３，２４が単独に構成されている従来例では、装置の吊り下げ時や運搬時において、ケーブル同士が絡まり等の干渉を生じ、これによっても取扱性が悪くなるという問題点がある。
【０００７】
さらに上述の従来例では、上述した取扱性の問題点以外に、次のような問題点もある。つまりＬＮＧ地下式貯槽では、観察装置が挿入される挿入口（ノズル部５１，５２）は、観察装置の挿入時であってもその口を気密に封止しておく必要があるが、上記のように複数のケーブルが挿入口に介在する状態では挿入口を気密に封止することが困難となる。
【０００８】
さらにまた、ケーブル２０において観察装置の吊下げ時の荷重を担うのは吊下げ用ワイヤ２２のみであるから、ワイヤ２２の破断時には、装置落下等の危険性もある。
【０００９】
本発明は、上述した各種の問題点に対処するために提案されたものであり、低温槽内に吊り下げて使用する観察装置等の吊り下げ用ケーブルとして、取扱性を良好にすると共に、観察装置挿入時であっても低温槽の気密性を確保でき、また観察装置が落下する危険性を回避することができる吊り下げ用ケーブルを提供することを目的とするものである。
【００１０】
【課題を解決するための手段】
上記目的を達成するため、本発明は、低温槽内の天井部に備えたノズル部を通して槽内に吊り下げて使用する装置の吊り下げ用ケーブルであって、上記ケーブルは、その内部中心に吊り下げ用ワイヤが配置され、該ワイヤを中心軸としてその周囲に薄厚絶縁被覆の電源用導体，信号用導体等の複数の内部導体が点対称に配置され、さらにこれらを囲う絶縁テープを介して最外周部に吊下げ強度を担う鎧装が配置された一体化構造の複合ケーブルに形成してなることを特徴とする。
【００１１】
上記の構成によると、観察装置等の吊り下げ用ケーブルは、電源用導体，信号用導体等の複数の内部導体と吊り下げ用ワイヤとが一体化構造の複合ケーブルに形成されている。
これにより、複数ケーブルで構成されている場合に生じる絡まり等の干渉問題が回避される。
その上、低温槽の挿入口（ノズル部の筒状開口）に介在するケーブルが一本であるため、挿入口の封止性を確保することも容易になる。
また上記構成によると、内部導体を薄厚絶縁被覆として各導体に対して別個に保護材等を設けていないので、全体重量の軽量化が図れる。
【００１２】
さらには装置荷重を、ケーブル中心に配置した吊り下げ用ワイヤと、ケーブル周囲に設けた鎧装の両者で分担負担しているので、万一、一方が破断した場合においても他方で装置を吊ることが可能であり、装置落下等の危険性がない。
またケーブルの内部導体を中心に対して点対称配置しているので屈曲に対する耐久性向上が図れる。
【００１３】
【発明の実施の形態】
以下、本発明の実施例を図面を参照して説明する。
図１は、本発明にかかる吊り下げ用ケーブルを介して低温槽（図５に示す貯槽５０）の槽内に吊り下げて使用する観察装置を示すもので、観察装置１０は、円筒状の筐体形状をなしており、低温槽上部の筒状開口を有するノズル部から挿入され、上方に延びたケーブル２０によって吊り下げられて、槽内の側方及び下方を観察するものである。
【００１４】
この観察装置１０は、低温槽内の液中でも内部が常温に保たれる真空断熱容器部１０ａと、使用時には常時、低温下に曝される曝露部１０ｂとからなる。上記真空断熱容器部１０ａは、断熱層とシートヒータとによる温度制御で内部が常に０〜４０℃に保温されており、その内部に、高感度のＣＣＤカメラ１１と小型高倍率の光学ズームレンズ１２が光軸を円筒軸と一致させて配備されている。
【００１５】
また、機構部或いはモータ等は曝露部１０ｂに配備され、これらは個別で低温仕様に製作されている。
真空断熱容器部１０ａにおける観察窓１３の前方には、側視ミラー１４ａを装備した側視ヘッド１４が脱着自在に設けられる。これによって低温槽内の側壁を観察する場合には、この側視ヘッド１４を装着して、側視ヘッド１４のティルト動作（垂直面内で視界を変化させる動作；矢印ａ）によって水平方向に対して上方１０度から下方３０度の範囲を観察できるようにし、また、側視ヘッド１４を３６０度以上パン（水平面内での視界を変化させる動作；矢印ｂ）回転させることによって、側壁全周を観察できるようにしている。さらに側視ヘッド１４を取り外して、低温槽内に挿入することによって、槽内底面部を直接観察できるようにしている。
【００１６】
ここで観察装置１０の上部にはケーブル導出部１０ｃが形成されており、この導出部１０ｃから単一のケーブル２０が上方に引き出されている。なおケーブル導出部１０ｃには、ケーブル２０の端部を保護するために保護スリーブが装着されている。
【００１７】
図２に観察装置１０を吊り下げるケーブル２０の断面図を示す。ケーブル２０の内部には、その内部中心に吊り下げ用のワイヤ２２が配置され、その吊り下げ用ワイヤ２２の周囲に、絶縁被覆された給電用導体２３と、同様に絶縁被覆された信号用導体２４とが配置されている。
【００１８】
図示のように、給電用導体２３と信号用導体２４とは中心を軸に点対称に配置されている。またこれらの吊下用ワイヤ２２，給電用導体２３，信号用導体２４の周辺はガラス介在物２５で埋められており、さらにその外周部に、絶縁テープ２６を介して鎧装２７が設けられている。
【００１９】
上述した構造のケーブル２０では、吊下用ワイヤ２２，給電用導体２３，及び信号用導体２４を一体化構造とした複合ケーブルに形成されている。
そして、ケーブル２０の外周に設けた鎧装２７にも十分な強度を持たせ、吊り下げ用ワイヤ２２及び鎧装２７の両方は、いずれも単独で観察装置１０の荷重を負うのに十分な強度を有している。
そして、構成要素である各内部導体２３，２４の絶縁材としては、低温特性を配慮した材質を選択し、軽量化のために薄厚絶縁被覆が施されている。
【００２０】
各構成要素の材質の一例を挙げると、給電用導体２３及び信号用導体２４に用いられる導体としては錫メッキ軟銅撚り線、吊下用ワイヤ２２としては航空機用ワイヤ（ＳＵＳ３０４）、各部の絶縁材及び絶縁テープ２６としてはテフロン（登録商標）系材料、鎧装２７としてはＳＵＳ３０４等の構造材料がそれぞれ用いられている。上記の絶縁テープ２６は、信号用導体２４，給電用導体２３の外側に螺旋状に巻かれていてケーブル２０の屈曲に対する耐久性を向上させるためにテープ幅の最適化を図っている。
【００２１】
【発明の効果】
上記のように構成されていると、ケーブル２０の一体化構造により、従来例のように個別にケーブルを設けている場合と比較して、絶縁材・保護材等の重複部分がなくなり、合計重量の軽量化が達成できるので、ハンドリングの上で良好な取り扱い性を確保できる。
【００２２】
また上記実施形態のケーブル２０の場合、それ自身に薄厚絶縁被覆を採用しているので、更なる軽量化を達成している。
そして、装置の運搬時や低温槽内での吊り下げ時においては、ケーブルの絡み等がなくなり、観察作業を行う上でも装置の取扱性は極めて良好である。
【００２３】
また装置の吊り下げ時には、低温槽のノズル部等の挿入口には１本のケーブル２０が介在するのみであるので、挿入口におけるケーブル２０の周囲に何らかの気密材を装填することにより、挿入口の封止性確保も容易に行うことができる。
【００２４】
さらには装置荷重を吊下用ワイヤ２２と鎧装２７の両者で分担負担しているので、一方が破断した場合でも、他方で装置を吊ることが可能であり、装置落下等の危険性がない。
またケーブル２０内の中心に配置した吊下用ワイヤ２２を中心軸として，その周囲に給電用導体２３と，信号用導体２４とを点対称に配置しており、また絶縁テープ２６のテープ幅を適正に設定しているので、屈曲に対する良好な耐久性を高めることができる。
【図面の簡単な説明】
【図１】本発明の吊り下げ用ケーブルにより低温槽内に吊り下げられて使用される観察装置の一例を示す説明図である。
【図２】本発明による吊り下げ用ケーブルの横断面図である。
【図３】本発明の吊り下げ用ケーブルが使用される低温槽内観察装置の１例を示す説明図である。
【図４】従来例のケーブルを示す説明図である。
【符号の説明】
１０  観察装置
１０ａ  真空断熱容器部
１０ｂ  曝露部
１１  ＣＣＤカメラ
１２  ズームレンズ
１３  先端窓
１４  側視ヘッド
１４ａ  側視ミラー
２０  ケーブル
２２  吊下用ワイヤ
２３  給電用導体
２４  信号用導体
２５  ガラス介在物
２６  絶縁テープ
２７  鎧装
３０  照明装置
５０  ＬＮＧ地下式貯槽
５１，５２  ノズル部
５４  制御装置
【図１】
0004814416.tif 000002
【図２】
0004814416.tif 000003
【図３】
0004814416.tif 000004
【図４】
0004814416.tif 000005